(57)【要約】  【課題】  連接端末同士間で情報をやり取りし、各連接端末からでも通信の現状把握ができ、かつ管制端未の負担を軽減させた通信システムを提供する。  【解決手段】  連接端末３３ａから管制端末３２に対して通信系を選択した場合は、管制端末３２から通信系選択応答が連接端末３３ａへ戻った後に、その通信系選択応答は連接端末３３ａから連接端末３３ｂ以下の各端末へ配信される。また、連接端末３３ａから管制端末３２に対してセンサ情報を設定した場合は、センサ情報設定応答が管制端末３２から連接端末３３ａへ戻った後に、そのセンサ情報設定応答は連接端末３３ａから連接端末３３ｂ以下の各端末へ配信される。これによって管制端末３２から各連接端末へのシーケンスは一系統でよい。また、無線部３１の障害情報が管制端末３２を経由して連接端末３３ａへ送信されると、連接端末３３ａは各連接端末へその障害情報を配信する。【選択図】    図３
2005301848.tif 000002
【特許請求の範囲】
【請求項１】
上位装置である管制端末と該管制端末によって管理させる連接端末とがネットワークに接続されて所望の通信を行う通信システムであって、
前記連接端末が、
通信系の詳細情報を表示する機能と、
前記管制端末と連接端未との間におけるイベン卜発生時にメッセージを表示する機能と、
センサ情報を変更するときに送信出力及び通信系の変更を表示する機能と
を備えることを特徴とする通信システム。
【発明の詳細な説明】
【技術分野】
【０００１】
本発明は、ネットワークに接続された上位装置と通信端末との間で通信を行う通信システムに関し、より詳細には、ネットワークに接続された管理端末とこの管理端末によって管理される通信端末とによって構成される通信システムに関するものである。
【背景技術】
【０００２】
従来より、上位装置である管理端末と通信端末とがネットワークに接続されて所望の通信を行う通信システムが広く利用されている。例えば、巡視艇などにおいてもこのような通信システムが用いられ、敵艦の監視や僚艦との間の情報交換などに利用されている。
【０００３】
図１は、従来より巡視艇に用いられている通信システムの構成図である。巡視艇であるＡ艦艇１には、他の艦艇との間で無線通信を行う無線部１１と、上位装置である管理端末（以下、管制端末と云う）１２と、管制端末１２に管理される複数の通信端末（以下、連接端末と云う）１３ａ，１３ｂ…とがネットワーク１４に接続されている。また、僚艦の巡視艇であるＢ艦艇２の通信システムも同様の構成となっている。但し、Ｂ艦艇２の通信システムにおける各構成要素は２０番台の符号が付してある。
【０００４】
Ａ艦艇１の通信システムにおいては、管制端末１２が各連接端未１３ａ，１３ｂの管理を行っている。このとき、各連接端末１３ａ，１３ｂは、管制端末１２から割り当てられた通信系の情報を取得し、各連接端未１３ａ，１３ｂに表示された通信系を選択して通信プログラムを起動したり、解放ボタンを押下して通信プログラムを終了したりしている。また、各連接端未１３ａ，１３ｂは、管制端末１２からの情報に基づいて通信系の状態を表示したり、自己の端末動作を終了したりしている。さらに、各連接端末１３ａ，１３ｂは、管制端未１２に対してセンサ情報を送信して外部への送信出力レベルの変更や通信系の切替え処理などを行わせている。Ｂ艦艇２においても同様の動作が行われている。このような通信システムの動作によって、Ａ艦艇１の無線部１１とＢ艦艇２の無線部２１とは各種データを送受信して情報交換を行っている。
【０００５】
また、下記の特許文献１には、管理端末が複数の通信端末を管理しながら個々の通信端末の状態情報を収集することにより、それぞれの状態情報に対応する通信端末の保守管理を迅速に行うようにした技術が開示されている。
【特許文献１】特開平９−８８０４号公報
【発明の開示】
【発明が解決しようとする課題】
【０００６】
しかしながら、図１に示すような従来の通信システムにおける連接端未では、管制端未から各連接端末へ送信されてくる情報はごく限られた一部の情報である。例えば、通信系の情報については通信系の名前の表示のみであるので、詳細な通信情報の内容を把握することは殆んどできない。また、各連接端未は、管制端未が認識したエラー情報のうちごく一部のエラー情報しか把握することができない。さらに、各連接端末は、センサが複数のセンサ情報を個別に検知するための切り替えが正常に行なわれたか否かの情報を把握することができないなど、センサに関するメッセージ情報も限られている。つまり、連接端未プログラムと管制端末との間の情報量が少ないため、ユーザが連接端末を使用しているときに使用状態の現状把握を詳細に行うができない。
【０００７】
また、連接端末の接続数が増えると、管制端末と各連接端末のシーケンスが増加してしまい、結果的に管制端未が処理すべき負荷が重くなってしまって処理スピードが低下してしまう。さらに、特許文献１の技術においても、管理端末が管理する通信端末の数が増加すると必然的に状態情報の収集に時間がかかり、結果として、管理端末が通信端末を保守管理するためのスピードが低下してしまう。
【０００８】
本発明は、以上のような問題点に鑑みてなされたものであり、連接端末のプログラムと管制端末との間の一電文内容の情報量を増やし、かつ、各連接端末のイベント発生の情報及びエラー発生時の情報等をメッセージ等で表示することにより、各連接端末からでも通信の詳細な現状把握ができるような通信システムを提供することを目的とする。さらには、連接端末同士間の情報のやり取りを増やすことにより、管制端未のシーケンス処理の負担を軽減させることができる通信システムを提供することを目的とする。
【課題を解決するための手段】
【０００９】
上述した課題を解決するため、本発明に係る通信システムは、上位装置である管制端末とその管制端末によって管理させる連接端末とがネットワークに接続されて所望の通信を行う通信システムであって、連接端末が、通信系の詳細情報を表示する機能と、管制端末と連接端未との間におけるイベン卜発生時にメッセージを表示する機能と、センサ情報を変更するときに送信出力及び通信系の変更を表示する機能とを備えることを特徴とする。
【００１０】
本発明の通信システムによれば、ネットワーク接続された管制端末とユーザが操作する複数の連接端末との間で通信を行う通信システムにおいて、連接端末に通信系の使用状況を詳細に表示することによってユーザに的確な情報を提供することができる。さらに、連接端末間で通信を実現できるシーケンスを追加することによって、管制端末から各連接端末へデータ送信を行わなくてもよいので、管制端末の負荷を軽減させることができる。
【００１１】
なお、本発明に係る通信システムは、上記の発明に加えて、さらに、連接端未に、連接端末間で送受信される情報の管理を行う機能を備えたこともできる。
【発明の効果】
【００１２】
本発明の通信システムによれば、通信端末である連接端末は、上位装置である管制端末からその都度情報を取得しなくても、連接端末自身で通信系の詳細情報を把握することができる。また、連接端末のメッセージとしてイベント情報を把握することができる。さらには、管制端末が得た情報を連接端末でも把握することができる。また、連接端末同士が情報を交換しあっているので、管制端未と連接端末との間のシーケンスを簡略化することができると共に管制端末が行う処理負荷を軽減することができる。
【発明を実施するための最良の形態】
【００１３】
以下、図面を参照しながら、本発明における通信システムの実施の形態について詳細に説明するが、理解を容易にするために従来技術と本発明の技術とを対比しながら説明する。なお、以下の実施の形態では、一例として艦艇で用いられる通信システムについて説明するが、本発明の通信システムは艦艇での使用に限定されるものではない。
【００１４】
まず、本発明における通信システムの概要について説明する。本発明は、ネットワーク接続された管制端末（つまり、上位装置である管理端末）とユーザが操作する複数の連接端末（つまり、通信端末）との間で通信を行うる通信システムにおいて、連接端末（通信端末）に通信系の使用状況を詳細に表示してユーザに的確な情報を提供し、かつ、連接端末（通信端末）間におけるシーケンスの変更によって管制端末の負荷を軽減させるように連接端末の処理内容をプログラムしたことを特徴とする。
【００１５】
次に、従来の通信システムと本発明の通信システムとの相違点を詳細に説明する。図２は、従来の通信システムの構成及びデータ通信状態を示すブロック図である。従来の通信システムでは、無線部３１に接続されている管制端末３２と各連接端末３３ａ，３３ｂ，３３ｃ，３３ｄの間の通信のみであって、各連接端末３３ａ，３３ｂ，３３ｃ，３３ｄは相互の通信を行っていない。
【００１６】
また、従来の各連接端末３３ａ，３３ｂ，３３ｃ，３３ｄの画面では、メッセージボックスを表示させないと情報を表示することができない。さらに、メッセージボックスを表示させるとＯＫボタンをわざわざ押下して表示を消すといった動作が必要となるので無駄な操作が存在する。また、各連接端未３３ａ，３３ｂ，３３ｃ，３３ｄの情報は管制端未３２が管理しているが、各連接端未間では通信が行われていないので、それぞれの連接端末が何の通信を行っているのかを把握することができない。
【００１７】
そこで、本発明の通信システムでは、１．連接端末画面の追加、２．各連接端末間におけるシーケンス処理の追加、３．管制端末と連接端末との間のシーケンス処理の減少などを図ることによって、それぞれの連接端末で通信情報の把握ができるようにしている。
【００１８】
図３は、本発明の通信システムの構成及びデータ通信状態を示すブロック図である。本発明の通信システムは、外部との間で無線通信を行う無線部３１と、上位装置である管制端末３２と、管制端末によって管理される複数の連接端末３３ａ，３３ｂ，３３ｃ，３３ｄとによって構成されている。このような構成そのものは従来技術と同じであるが、本発明の通信システムの特徴は、管制端末３２と各連接端末３３ａ，３３ｂ，３３ｃ，３３ｄとの間で通信を行うと共に、各連接端末３３ａ，３３ｂ，３３ｃ，３３ｄが相互に通信を行っている点である。
【００１９】
ここで、各構成要素の役割について説明する。管制端末３２の基本的な役割は、各連接端未３３ａ，３３ｂ，３３ｃ，３３ｄとの関連においては次の通りである。１．管制端末３２が各連接端未３３ａ，３３ｂ，３３ｃ，３３ｄに定期的に問い合わせることによって、各連接端未３３ａ，３３ｂ，３３ｃ，３３ｄの起動状況の監視を行う。２．無線部３１から受けた警報を各連接端末３３ａ，３３ｂ，３３ｃ，３３ｄへ送信する。３．各連接端未３３ａ，３３ｂ，３３ｃ，３３ｄで設定したセンサ情報を認識する。
【００２０】
また、無線部３１との関連における管制端末３２の基本的な役割は次の通りである。１．使用する周波数を設定する。２．無線部３１に定期的に問い合わせることによって、無線部３１の起動状況の監視を行う。３．各連接端末３３ａ，３３ｂ，３３ｃ，３３ｄで設定した通信系を無線部３１へ通知する。
【００２１】
また、各連接端末３３ａ，３３ｂ，３３ｃ，３３ｄの基本的な機能は次のものである。１．音声通話及びメール転送を行うときに使用したい通信系を選択する。２．それぞれの連接端末が取得するためのセンサ情報の設定を行う。
【００２２】
すなわち、図３に示す本発明の通信システムにおいては、各連接端末３３ａ，３３ｂ，３３ｃ，３３ｄ間で情報のやり取りを行うためのシーケンスが追加されている。さらに、通信系の選択シーケンス及びセンサ情報に関するシーケンスが追加されている。例えば、連接端未３３ａが通信系を選択した場合は、従来技術では、連接端未３３ａは管制端末３２を経由して連接端末３３ｂ、３３ｃ、３３ｄに情報を通知していたが、本発明では、連接端末３３ａが、直接、管制端未３２及び連接端末３３ｂ、３３ｃ、３３ｄに情報を通知することができる。また、連接端未３３ａが取得したセンサ情報についても、連接端未３３ａは、管制端未３２を経由して情報を配信することなく、直接、管制端未３２及び連接端末３３ｂ、３３ｃ、３３ｄに情報を配信することができる。
【００２３】
また、ステータス状態の通知については、従来は各連接端末３３ａ，３３ｂ，３３ｃ，３３ｄが定期的に管制端末３２と起動状況などの情報のやり取りを行っていた。そのため、１つの管制端末に対して４つの連接端末のシーケンスが必要となっていた。しかし、本発明では、例えば、連接端末３３ａを代表端末とすると、連接端末３３ａが連接端末３３ｂ、３３ｃ、３３ｄの情報を直接取得してから管制端末３２に対してそれぞれの情報を通知する。そのため、管制端末３２と連接端末３３ｂ、３３ｃ、３３ｄとの間のシーケンスは不要となるので、管制端末３２は３つのシーケンスが減ることになる。つまり、１つの管制端末に対して１つの連接端末のシーケンスでよいことになる。
【００２４】
また、障害時におけるステ−タス状態の通知については、従来は管制端未３２が連接端末３３ａ，３３ｂ，３３ｃ，３３ｄの４台に対して情報を通知していた。しかし、本発明では、管制端末３２が１台の連接端末（例えば、連接端末３３ａ）に故障時のステ−タス状態を送信すれば、その情報を受信した連接端未（例えば、連接端末３３ａ）が他の連接端末（例えば、連接端末３３ｂ，３３ｃ，３３ｄ）に情報を通知する。
【００２５】
次に、障害情報については、従来は、管制端末３２が認識した障害内容のごく一部しか各連接端末３３ａ，３３ｂ，３３ｃ，３３ｄに送信していなかったが、本発明では、管制端未３２が各連接端末３３ａ，３３ｂ，３３ｃ，３３ｄに対して全ての障害内容を送信している。このとき、障害内容を送信する場合は各連接端末３３ａ，３３ｂ，３３ｃ，３３ｄにメッセージとして表示を行う。
【００２６】
各連接端末３３ａ，３３ｂ，３３ｃ，３３ｄのメッセージ表示については、従来は、各連接端末３３ａ，３３ｂ，３３ｃ，３３ｄの動作状況を１電文によるステータス情報で認識していたが、本発明では、ステータス情報の情報量を増やすことによって、各連接端末３３ａ，３３ｂ，３３ｃ，３３ｄのイベント内容などを表示させるようにしている。
【００２７】
なお、管制端末３２は、無線部３１及び各連接端末３３ａ，３３ｂ，３３ｃ，３３ｄと常時データのやり取りを行っている。そのため、管制端末３２は各連接端末３３ａ，３３ｂ，３３ｃ，３３ｄの接続台数が増えれば増えるなど処理に負担がかかってしまうし、ソフトウェア的な処理にも大きな負荷がかかってしまう。したがって、管制端末３２は、少しでも分散処理ができるようにするために、各連接端末３３ａ，３３ｂ，３３ｃ，３３ｄにも監視機能を持たせ、管制端末３２と各連接端末３３ａ，３３ｂ，３３ｃ，３３ｄのシーケンスを１つに集約してデータの伝送量を減らしている。
【００２８】
次に、本発明における通信システの具体的な実施例について説明する。図４は従来の連接端末の画面の一例を示す図である。図４に示すように、従来の連接端末は通信系名ごとの使用状態のみが表示されていた。また、センサ情報としては敵艦距離などが表示されていたが、表示される情報は極めて少ないので正確に現状把握を行うことができなかった。
【００２９】
図５は本発明の連接端末の画面の一例を示す図である。図５に示すように、本発明の連接端末は、通信系名ごとに、周波数、送信出力、電波方式、使用端末、使用状況、及び使用目的などが表示される。また、センサ情報として、敵艦距離、僚艦距離、通信感度、干渉レベル、及びダクト情報などが表示されるので正確に現状把握を行うことができる。つまり、本発明の連接端未画面は、イベント発生時のメッセージ及びエラー時等のメッセージの表示、通信系の詳細内容の表示、及び通信系の使用状況などを表示する機能を備えている。
【００３０】
図６は、従来の通信システムによる通信系選択及びセンサ情報の送信シーケンスを示す図である。図６に示すように、従来の通信系選択では、連接端末１から管制端末に対して通信系を選択した場合は連接端末１のみへ通信系選択の応答が戻り、連接端末２から管制端末に対して通信系を選択した場合は連接端末２のみへ通信系選択の応答が戻るというように、管制端末と個別の連接端末は１対１の通信対応しかできなかった。また、連接端末１から管制端末に対してセンサ情報を設定した場合は連接端末１のみへセンサ情報の応答が戻り、連接端末２から管制端末に対してセンサ情報を設定した場合は連接端末２のみへセンサ情報の応答が戻るというように、管制端末と個別の連接端末は１対１の通信対応しかできなかった。
【００３１】
図７は、本発明の通信システムによる通信系選択のシーケンスを示す図である。図７に示すように、本発明の通信系選択では、連接端末１から管制端末に対して通信系を選択した場合は、管制端末から通信系選択応答が連接端末１へ戻った後に、その通信系選択応答は連接端末１から連接端末２以下の各端末へ配信される。つまり、通信系の操作において、管制端未へ通信系情報を送信した連接端末が通信系情報の応答を一括して取得し、その連接端未から各連接端末に対して通信系情報を配信する。これによって管制端末から連接端末へのシーケンスは一系統でよいことになる。
【００３２】
図８は、本発明の通信システムによるセンサ情報シーケンスのその１を示す図である。図８に示すように、本発明のセンサ情報設定では、連接端末１から管制端末に対してセンサ情報を設定した場合は、センサ情報設定応答は管制端末から連接端末１へ戻った後に、そのセンサ情報設定応答は連接端末１から他の連接端末へ配信される。
【００３３】
図９は、本発明の通信システムによるセンサ情報シーケンスのその２を示す図である。図９に示すように、本発明のセンサ情報設定では、連接端末２から管制端末に対してセンサ情報を設定した場合は、センサ情報設定応答は管制端末から連接端末２へ戻った後に、そのセンサ情報設定応答は連接端末２から他の連接端末へ配信される。つまり、センサ情報の設定操作において、管制端未へセンサ情報を送信した連接端末がセンサ情報の応答を一括して取得し、その連接端未から各連接端末に対してセンサ情報の応答が配信される。これによって管制端末から連接端末へのシーケンスは一系統でよいことになる。
【００３４】
図１０は従来の通信システムによるステータス通知のシーケンスを示す図である。図１０に示すように、従来の通信システムにおいては、連接端末１から管制端末へステータス通知が行われると、管制端末はそのステータス通知応答を連接端末１へ返し、連接端末２から管制端末へステータス通知が行われると、管制端末はそのステータス通知応答を連接端末２へ返すというように、管制端末と個別の連接端末は１対１の通信対応しかできなかった。
【００３５】
図１１は本発明の通信システムによるステータス通知のシーケンスを示す図である。図１１に示すように、本発明の通信システムにおいては、各連接端末のステータス通知は連接端末１へ集約され、連接端末１から総合ステータス通知が一括して管制端末へ送信される。そして、管制端末から連接端末１へ総合ステータス通知の応答が戻される。つまり、管制端未が各連接端末の監視を行う場合、管制端未が各連接端末に監視させるのではなく、代表の連接端末（例えば、連接端末１）に各連接端末の監視を管理させ、管理結果の情報を代表の連接端末（例えば、連接端末１）から管制端末へ通知する方式をとっている。
【００３６】
図１２は、従来の通信システムによる障害時のステータス通知のシーケンスを示す図である。図１２に示すように、従来の通信システムにおいては、例えば、無線部で障害が発生した場合は、無線部から管制端末へ障害のステータス通知が送信されると、その障害のステータス通知は、管制端末から連接端末１、連接端末２など各連接端末へ個別に送信される。これによって、連接端末１、連接端末２など各連接端末からのステータス通知の応答が管制端末へ返される。したがって、管制端末は、連接端末１、連接端末２など各連接端末からそれぞれステータス通知の応答を受信し、一括したステータス通知の応答を無線部へ返信する。このように、従来の通信システムでは、無線部からの障害情報を、管制端末を経由して各連接端末へステータス通知として送信しているが、このときのデータ内の情報量は極めてが少ない。
【００３７】
図１３は、本発明の通信システムによる障害時のステータス通知のシーケンスを示す図である。図１３に示すように、本発明の通信システムにおいては、例えば、無線部で障害が発生した場合は、障害情報を乗せたステータス通知が無線部から管制端末へ送信される。すると、障害情報を乗せたステータス通知は、管制端末から連接端末１へ送信され、ステータス通知の応答が連接端末１から管制端末へ返される。また、連接端末１は、障害情報を乗せたステータス通知を連接端末２などそれぞれの連接端末へ送信する。これによって、連接端末１は、連接端末２など各連接端末からそれぞれステータス通知の応答を受信し、一括したステータス通知の応答を管制端末へ返す。すると、管制端末は一括したステータス通知の応答を無線部へ返す。
【００３８】
このようにして、本発明の通信システムでは、各連接端末に対して障害情報をメッセージ表示ができるようにデータの情報量を増やし、かつ、代表の連接端未（例えば、連接端末１）が各連接端末へ障害情報を配信している。つまり、従来の通信システムにおいては、図１２に示すように、障害情報は管制端末から各連接端末へ通知しているが、本発明の通信システムにおいては、図１３に示すように、管制端末は代表の連接端末（例えば、連接端末１）へ障害情報を通知し、代表の連接端末（例えば、連接端末１）が他の連接端未に対してその障害情報を通知している。
【図面の簡単な説明】
【００３９】
【図１】従来より巡視艇に用いられている通信システムの構成図である。
【図２】従来の通信システムの構成及びデータ通信状態を示すブロック図である。
【図３】本発明の通信システムの構成及びデータ通信状態を示すブロック図である。
【図４】従来の連接端末の画面の一例を示す図である。
【図５】本発明の連接端末の画面の一例を示す図である。
【図６】従来の通信システムによる通信系選択及びセンサ情報のシーケンスを示す図である。
【図７】本発明の通信システムによる通信系選択のシーケンスを示す図である。
【図８】本発明の通信システムによるセンサ情報シーケンスのその１を示す図である。
【図９】本発明の通信システムによるセンサ情報シーケンスのその２を示す図である。
【図１０】従来の通信システムによるステータス通知のシーケンスを示す図である。
【図１１】本発明の通信システムによるステータス通知のシーケンスを示す図である。
【図１２】従来の通信システムによる障害時のステータス通知のシーケンスを示す図である。
【図１３】本発明の通信システムによる障害時のステータス通知のシーケンスを示す図である。
【符号の説明】
【００４０】
１  Ａ艦艇
２  Ｂ艦艇
１１，２１，３１  無線部
１２，２２，３２  管制端末
１３ａ，１３ｂ，２３ａ，２３ｂ  連接端末
１４，２４  ネットワーク
３３ａ  連接端末（１）
３３ｂ  連接端末（２）
３３ｃ  連接端末（３）
３３ｄ  連接端末（４）
【図１】
2005301848.tif 000003
【図２】
2005301848.tif 000004
【図３】
2005301848.tif 000005
【図４】
2005301848.tif 000006
【図５】
2005301848.tif 000007
【図６】
2005301848.tif 000008
【図７】
2005301848.tif 000009
【図８】
2005301848.tif 000010
【図９】
2005301848.tif 000011
【図１０】
2005301848.tif 000012
【図１１】
2005301848.tif 000013
【図１２】
2005301848.tif 000014
【図１３】
2005301848.tif 000015